(57)【特許請求の範囲】
【請求項１】
器具本体と；
器具本体に配設される光源と；
周囲環境の明暗を検出する明暗検知センサと；
周囲環境の明暗が設定された所定レベルに対し、周囲環境のレベルが異なった場合に照明器具の光出力を変化させる△Ｌ制御手段を含み、明暗検知センサ出力に基づいて周囲環境の明暗を制御するようにした光出力制御手段と；を具備している照明器具において、
光出力制御手段は、ΔＬ制御手段によって、照明器具の光変化制御を開始後、所定時間以上同じ制御が継続するような場合には、所定時刻で照明器具の光出力の変化量を変更して所定レベルに到達する時間を早くするように制御し、所定時刻後の微少時間△ｔａsec時間に照明器具の光出力をΔＬａ％変化させる際においても、０．１≦ΔＬａ／△ｔａ≦１０となるように制御することを特徴とする照明器具。
【発明の詳細な説明】
【０００１】
【発明の属する技術分野】
本発明は、センサを使用する照明器具に関する。
【０００２】
【従来の技術】
従来、この種の照明器具は、特開平１−２８９０９４号公報（従来例）に開示されている。この照明器具では、周囲環境の明るさが明→暗または、暗→明に変化するときに、光源の点灯を一時的に抑制する回路が設けてある。これにより、照明器具の自身の光源の発光による光に影響されることなく適正な光出力が得られるように制御されていた。
【０００３】
【発明が解決しようとする課題】
この抑制回路では、周囲環境の明るさが、明→暗に変化したとき、明暗検知センサからの出力によるノイズ信号によって光源を点灯させようとするが、抑制回路でノイズ信号を強制的に一定期間オフすることにより光源の点灯が抑制されるものである。
【０００４】
したがって、既に設定される一定期間に対し、例えば明→暗の変化時間が長い場合は、抑制回路で制御できない問題がある。また、この問題を解消するために一定期間を比較的長く設定すると、今度は明→暗の変化時間が短い場合に制御できないという問題が発生する。
【０００５】
本発明では、時間とともに変化する周囲環境の明るさに対して、照明器具の光出力を適切に行い得る照明器具を提供することを目的とする。
【０００６】
【課題を達成するための手段】
請求項１の発明は、器具本体と；器具本体に配設される光源と；周囲環境の明暗を検出する明暗検知センサと；周囲環境の明暗が設定された所定レベルに対し、周囲環境のレベルが異なった場合に照明器具の光出力を変化させる△Ｌ制御手段を含み、明暗検知センサ出力に基づいて周囲環境の明暗を制御するようにした光出力制御手段と；を具備している照明器具において、光出力制御手段は、ΔＬ制御手段によって、照明器具の光変化制御を開始後、所定時間以上同じ制御が継続するような場合には、所定時刻で照明器具の光出力の変化量を変更して所定レベルに到達する時間を早くするように制御し、所定時刻後の微少時間△ｔａsec時間に照明器具の光出力をΔＬａ％変化させる際においても、０．１≦ΔＬａ／△ｔａ≦１０となるように制御することを特徴とする。
【００１０】
【発明の実施の形態】
本発明の第１の実施の形態を示す照明器具を図１参照して説明する。
【００１１】
図１は本発明の第１の実施の形態を示す照明器具の縦断側面図である。図において照明器具１は、建物の天井面２に形成された開口部３に取り付けられている。器具本体４は下面が開口した箱形に形成され、この器具本体４の下部の周縁には天井面２の開口部３の外側に突出する折曲部５が形成されている。そして、天井面２の上方における建物に固定された吊りボルト（図示せず）で器具本体４を吊り上げる等の方法により、器具本体４は折曲部５が天井面２の下面に当接した状態で支持される。
【００１２】
器具本体４の上面６の裏側には、安定器７を含む点灯回路（図示せず）と、この点灯回路に接続された複数のソケット８とが取り付けられ、これらのソケット８には光源９である例えば直管形蛍光ランプが接続されている。点灯回路は、電源との間を開閉するスイッチと、光源９に与える電圧を調整して明るさを変える調光回路とを含む。また、器具本体４はその内側に光源９の光を反射する反射板１０を有している。この反射板１０の上面１１にはソケット８を突出させるための複数の角孔１２が形成されている。また、器具本体４の端部には、プリズムカバー１７を突出させる開ロ１８が形成されたプレート１９が支持脚２０を介して取り付けられ、このプレート１９の下縁には、センサ１４の感知領域を変更する遮蔽体２１が取り付けられている。
【００１３】
そして、器具本体４の端部には、制御ユニット１３が取り付けられている。この制御ユニット１３は、周囲環境の明暗を検出する明暗検知センサ１４と、このセンサ１４の信号により点灯回路を制御する光出力制御手段１５を有している。
【００１４】
まず、光出力制御手段１５の第１の制御方法について説明する。この場合、周囲環境の明暗が設定された所定レベルに対し、周囲環境のレベルが異なった場合に、所定レベルになるように現在の光出力に対して、△Ｌａ％照明器具の光出力を変化させ、周囲環境の明暗を制御している。すなわち、部屋の周囲環境を適正な照度に維持するため△Ｌａ％照明器具の光出力を変化させたが、所定時間以上同じ制御が継続するような場合には、変化量△Ｌａ％を△Ｌｂ％に変更して所定レベルに到達する時間を早くしている。なお、上記光出力は、現在のものと比較して決定される場合に限らず、例えば既に特定されたものとの比較により決定してもよい。
【００１５】
図２は、横軸に時間、縦軸に照明器具の光出力または部屋の照度を示したグラフである。図によると、図２ａのＴ１、Ｔ２(△ｔ=Ｔ２−Ｔ１）からＴ３までのように、所定時間以上出力に関して同じ制御が継続した場合に、図２ｂに示すように時刻Ｔ４で変化量を変えることのできる制御方法である。これにより、図２ｃのように、部屋の照度が、設定値から急激に外れた場合に短時間で設定値に戻すことができる。
【００１６】
また、光出力が低い状態から高い状態へ変化することにより、例えば、窓から入る光が雲などの影響で急激に低下した場合に照明器具の光出力を短時間で大きくすることができる。さらにまた、ブラインドの角度を変えて入射光が大きくなった場合に、机上面の照度を低下させることができる。
【００１７】
したがって、例えば窓からの光の入射の急激な変化に対応した快適な照明環境を提供できる。
【００１８】
次に、光出力制御手段１５の第２の制御方法について説明する。すなわち、図２において、部屋の明るさを所定レベルＬに設定した場合、このレベルよりも時刻Ｔ４で低かったり、高かったりした場合に、微少時間△ｔａsec時間に、現在の光出力に対して、△Ｌａ％照明器具の光出力を変化させ、０．１≦△Ｌａ／△ｔａ≦１０となるような制御を行う。この結果、例えば突発的に周囲環境の明るさが変化した場合でも、△Ｌａが小さく抑えられるので、不安定な光出力とはならない。
【００１９】
なお、△Ｌａ／△ｔａ＞１０の場合には、△Ｌが比較的大きく光出力が不安定となり、なかなか安定しない。また、０．１＞△Ｌ１／△ｔ１の場合は、出力の変化に時間がかかりすぎるため不快感を与える。
【００２０】
次に、本発明の第２の実施の形態を図３および４に基づいて説明する。
【００２１】
図３は本実施の形態を示すセンサ別置きの照明器具の側面図、図４は同じくセンサ組み込みの照明器具の底面図である。図３によると、安定器７、光出力制御手段１５等は共通の支持体５３に取り付けられている。この支持体５３は、器具本体４に対する取付部５４を有している。光出力制御手段１５には人体を感知する人体検知センサ１４と、周囲の照度を感知する明暗検知センサ５５とが接続線５６により接続されている。
【００２２】
また、図４によると、安定器７や光出力制御手段１５を支持する支持体５３は器具本体４に取り付けられている。明暗検知センサ１４と人体検知センサ５５は下部が反射板１０から突出するとともに感知範囲変更自在に器具本体４に支されている。また、人体検知センサ５５とともに配設された、人体検知制御手段は、人体検知センサ出力に基づいて、人がいなくなった状態から設定時間が経過した後、光源の明るさを制御する人体検知制御部を含み、設定時間を変更する時間変更部を有する。
【００２３】
本実施の形態では、人体検知センサを使用した場合について説明する。すなわち、人の有無を検知して、照明器具の光出力を制御する照明器具において、光出力制御手段１５は、人がいなくなった状態からある一定時間以上人のいない状態が継続すると光出力を変化させるようになっている。そして、この一定時間は使用状況に応じて変化することができる。例えば、人がいなくなった時刻と、照明の調光が開始する時刻をＴ２との差△ｔを時刻毎に変化させている。この時、照明の使用環境に応じて、人感の有無をサンプリングしておき、この結果に基づいて連続的に一定時間を制御してもよいし、また、あらかじめ一定時間を設定しておき、時刻毎に一定時間を制御させてもよい。
【００２４】
次に、本発明の第３の実施の形態を図５を参照して説明する。
【００２５】
図５は複数の照明器具の組合せによる照明システム構成図である。まず、メインとなる照明器具４４には、センサおよび光出力制御手段が装着された制御ユニット４６が設けられている。これらの構成は前述した構成と同機で、両者は前述した取付金具４７により機械的に連結されている。また、サブとなる複数の照明器具５０が設けられている。これらのサブとなる照明器具５０の構成は、メインとなる照明器具４４の構成と同機である。
【００２６】
ここで、商用電源は、制御ユニット４６内の光出力制御手段、メインとなる照明器具４４の点灯回路、サブとなる照明器具５０の点灯回路に電線ａにより接続されている。また、光出力制御手段と照明器具４４，５０の点灯回路中の調光回路とは信号線ｂにより接続されている。
【００２７】
このような構成において、光出力制御手段によって上述した制御を行うことにより、システム全体の制御を行うことができる。例えば、室内全体を照明してかつ作業エリアを照明するように、複数の室内・作業用照明器具として使用する場合には、照明器具は天井に設置され、光出力制御手段１５は、人体検知センサからの在席者情報が無い場合には、明暗検知センサからの情報により制御される第１の所定レベルを有し、また人体検知センサからの在席者情報がある場合には、明暗検知センサからの情報により制御される第一の所定レベルよりも高いレベルの第２の所定レベルを有して光出力制御を行っている。
【００２８】
なお、室内・作業用照明器具の少なくとも一台は、壁面、パーテション等の天井以外の場所に設置される。また、光出力制御手段１５は、スケジュールに応じて、室内・作業用照明器具の光出力を制御するとともに、時間帯によって室内・作業用照明器具の光出力を制御するタイムコントロールも行う。
【００２９】
【発明の効果】
請求項１の発明では、時間とともに変化する周囲環境の明るさに対して、微少時間に照明器具の光出力を変化させているので、周囲環境の明るさが明→暗または、暗→明に急激に変化しても光出力を適正に制御できる。
【図面の簡単な説明】
【図１】本発明の第１の実施の形態を示す照明器具の縦断側面。
【図２】横軸に時間、縦軸に照明器具の光出力または部屋の照度を示したグラフ。
【図３】本発明の第２の実施の形態を示すセンサ別置きの照明器具の側面図。
【図４】同じくセンサ組み込みの照明器具の底面図。
【図５】本発明の第３の実施の形態を示す複数の照明器具の組合せによる照明システム構成図。
【符号の説明】
１…器具本体
１４…明暗検知センサ
１５…光出力制御手段
【図１】
0003835572.tif 000002
【図２】
0003835572.tif 000003
【図３】
0003835572.tif 000004
【図４】
0003835572.tif 000005
【図５】
0003835572.tif 000006